Podtech/llm-jp-corpus-v4-ja_patent huggingface dataset:
【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
コンピュータにおいて、
ホスト中央処理装置（ＣＰＵ）と、
ホストＣＰＵとビデオ・コントローラとの間に結合された拡張バスと、
拡張バスに接続され、コンピュータの障害より前の第１の時間中及びコンピュータのリセット後の第２の時間中にホストＣＰＵからビデオ・コントローラに送られた表示データを記憶するコントローラ・メモリを有するサーバ・コントローラと
を備えることを特徴とするコンピュータ。
【請求項２】
請求項１記載のコンピュータにおいて、拡張バスは、ＥＩＳＡバスであることを特徴とするコンピュータ。
【請求項３】
請求項１記載のコンピュータにおいて、ビデオ・コントローラは、ビデオ・メモリに結合され、それによって、ビデオ・コントローラとサーバ・コントローラとは共に、ビデオ・アドレス範囲内のアドレス情報に応答して、ビデオ・メモリとコントローラ・メモリとの両方に表示データを同時に記憶することを特徴とするコンピュータ。
【請求項４】
請求項１記載のコンピュータにおいて、ホストＣＰＵは、ローカルＣＰＵバスに接続されていることを特徴とするコンピュータ。
【請求項５】
請求項４記載のコンピュータにおいて、該コンピュータはさらに、ローカルＣＰＵバスと拡張バスとの間に結合されたバス・インターフェース・ユニットを備えることを特徴とするコンピュータ。
【請求項６】
請求項１記載のコンピュータにおいて、サーバ・コントローラは、拡張バスと前記コントローラ・メモリとの間に結合され拡張バスを介してビデオ・コントローラに送られる表示データをモニタし、その後、表示データをコントローラ・メモリに書き込む検出ロジックを備えることを特徴とするコンピュータ。
【請求項７】
請求項６記載のコンピュータにおいて、表示データは、ホストＣＰＵが表示データをビデオ・コントローラに書き込む間に、拡張バスを介して送られることを特徴とするコンピュータ。
【請求項８】
請求項１記載のコンピュータにおいて、コントローラ・メモリは、
ビデオ・コントローラに送られる表示データの現在の表示スクリーン情報を記憶するローカル・フレーム・バッファと、
ローカル・フレーム・バッファから送られる表示データの現在の表示スクリーン情報を受け取る一時スナップショット・バッファと、
ローカル・フレーム・バッファから送られる表示データの前の表示スクリーン情報を受け取るスナップショット・バッファと、
一時スナップショット・バッファとスナップショット・バッファとの間に結合され、表示データの前の表示スクリーン情報と現在の表示スクリーン情報との間の変化を判断する比較ロジックと
を備えることを特徴とするコンピュータ。
【請求項９】
請求項８記載のコンピュータにおいて、コントローラ・メモリはさらに、第２の時間中の前記変化を記憶する現在リセット・シーケンス・バッファを備えることを特徴とするコンピュータ。
【請求項１０】
請求項８記載のコンピュータにおいて、コントローラ・メモリはさらに、現在開始バッファに結合された現在シーケンス・バッファを備えており、前記変化は、現在シーケンス・バッファに送られ、そこからのオーバーフローは、すべて、第１の時間の間に現在開始バッファに送られることを特徴とするコンピュータ。
【請求項１１】
サーバからビデオ・コントローラに送られる一連の表示スクリーン情報にアクセスする方法において、
サーバからビデオ・コントローラに送られる現在の表示スクリーン情報を、ローカル・フレーム・バッファに記憶する記憶ステップと、
現在の表示スクリーン情報を、ローカル・フレーム・バッファに先に記憶された前の表示スクリーン情報と比較して、スクリーン変化パケットを作成する比較ステップと、
サーバの故障の直前の第１の時間中とサーバのリセットの直後の第２の時間中との間に生じる複数のスクリーン変化パケットとしてコンパイルされた一連の表示スクリーン情報に対して、記憶ステップ及び比較ステップを反復するステップと、
サーバから離間して配置された端末によりスクリーン変化パケットをアクセスして、該端末に表示スクリーン情報を表示するアクセス・ステップと
からなることを特徴とする方法。
【請求項１２】
請求項１１記載の方法において、記憶ステップは、拡張バスを、拡張バスを介してサーバから送られた特定アドレス範囲内のアドレスに関してスヌーピングすることを含むことを特徴とする方法。
【請求項１３】
請求項１１記載の方法において、アクセス・ステップは、端末から、複数のスクリーン変化パケットを記憶するように構成されたバッファに結合されたモデムに、遠隔ダイアリングするステップを含むことを特徴とする方法。
【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
サーバ・コントローラにおいて、
コントローラ・メモリとプロセッサとの間に配置されたコントローラ・バスと、
サーバと関連する拡張バスと前記コントローラ・バスとの間に結合されており、前記拡張バス上の表示データの書き込みサイクルを検出し、該表示データを、前記書き込みサイクルが終了する前に、前記コントローラ・メモリに送る検出ロジックと
を備え、
前記プロセッサは、前記コントローラ・バスのマスタシップを前記検出ロジックに許可して、該検出ロジックが前記拡張バス上に信号をアサートして、前記コントローラ・バスの他のマスタシップが前記検出ロジックに許可されるまで、書き込みサイクルの終了を阻止するよう構成されている
ことを特徴とするサーバ・コントローラ。
【請求項２】
請求項１記載のサーバ・コントローラにおいて、
前記検出ロジックは、前記書き込みサイクルの終了の後に前記拡張バスのクロック・サイクルの所定数をカウントするデフィート・タイマを備え、
前記検出ロジックは、前記所定数の拡張バスのクロック・サイクルが終了すると、前記コントローラ・バスのマスタシップを放棄するよう構成されている
ことを特徴とするサーバ・コントローラ。
【請求項３】
請求項１又は２記載のサーバ・コントローラにおいて、前記検出ロジックは、ビデオ・アドレス範囲内で生じた書き込みサイクルを復号化するよう構成されていることを特徴とするサーバ・コントローラ。
【請求項４】
拡張バスを介してサーバからビデオ・コントローラへ送られる表示データの書き込みサイクルをスヌーピングする方法において、
ビデオ・アドレス範囲中で生じる表示デバイスに向けられた表示データの書き込みサイクルを検出するステップと、
コントローラ・メモリに結合されている検出ロジックによって、前記拡張バス上に信号をアサートして書き込みサイクルの終了を阻止することにより、コントローラ・バスのマスタシップを取得するステップと、
前記書き込みサイクルの中で生じる前記表示データを、前記表示データが前記ビデオ・コントローラに送られるのとほぼ同時に、前記コントローラ・メモリに送るステップと、
前記書き込みサイクルの終了時に、前記検出ロジックによって、前記コントローラ・バスのマスタシップを廃棄するステップと
を含むことを特徴とする方法。
【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
オブジェクト間のトポロジー的結合をコンピュータの使用によって管理する方法であって、
各々が複数の資源名を有する複数のオブジェクトを、情報ベースに記憶するステップと、
情報ベースに記憶された複数のオブジェクトを包含する、１つまたは複数の資源名閉包セットであって、各々が情報ベースに記憶された複数のオブジェクトの最大サブセットを含み、最大サブセットの各々のオブジェクトが、最大サブセットの少なくとも１つの他のオブジェクトと資源名を共有し、各々の資源名閉包セットのオブジェクトが資源を定義し、前記オブジェクトの資源名が前記資源をユニークに識別する、資源名閉包セットを決定するステップとを含む方法。
【請求項２】
情報ベースに記憶された複数のオブジェクトの所定の１つに資源名を追加する要求を受け取るステップと、
所定のオブジェクトに資源名を追加するステップと、
所定のオブジェクトが所属する資源名閉包セットによって定義される第１の資源に加えて、追加された資源名が１つ以上の資源を識別するかどうかを決定し、１つ以上の資源を識別するのであれば、
第１および追加の資源名閉包セットの各々の、資源名閉包セットにおけるオブジェクトの各々を含む資源名閉包セットによって、新たな資源を定義し、
第１および追加の資源名閉包セットの各々の、資源名閉包セットを削除するステップをさらに含む請求項１に記載の方法。
【請求項３】
情報ベースに記憶された複数のオブジェクトの所定の１つから資源名を削除する要求を受け取るステップと、
所定のオブジェクトから資源名を削除するステップと、
所定のオブジェクトが所属する既存の資源名閉包セットにおける複数のオブジェクトを包含する、１つまたは複数の新たな資源名閉包セットを決定するステップと、
既存の資源名閉包セットを削除するステップをさらに含む請求項１に記載の方法。
【請求項４】
各々が複数の資源名を有する、情報ベースに記憶された複数のオブジェクト間のトポロジー的結合を管理するシステムであって、
資源アスペクト・タイプを含む資源アスペクト・タイプ記憶装置であって、各々の資源アスペクト・タイプは、当該源アスペクト・タイプのオブジェクト・インスタンスに対して許可される結合を定義する複数の規則を含み、情報ベースに記憶される複数のオブジェクトの各々は、資源アスペクト・タイプの１つのインスタンスである、資源アスペクト・タイプ記憶装置と、
情報ベースに記憶される複数のオブジェクトを包含する、１つまたは複数の資源名閉包セットを決定するコンピュータ・コードであって、１つまたは複数の資源名閉包セットの各々が情報ベースに記憶された複数のオブジェクトの最大サブセットを含み、最大サブセットの各々のオブジェクトが、最大サブセットの少なくとも１つの他のオブジェクトと資源名を共有し、各々の資源名閉包セットのオブジェクトが資源を定義し、前記オブジェクトの資源名が前記資源をユニークに識別する、コンピュータ・コードとを含むシステム。
【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
コンピュータ・システムにおいて、
バスと、
該バスに接続された複数のデバイスと、
これらデバイスに関連して生じる障害状態を検出するバス監視装置と、
障害状態が生じたときにデバイスを電気的に隔離し、デバイス中の予め設定した所定のデバイス及び他の少なくとも１つのデバイスを含むグループをバスに接続し、かつ、該所定のデバイスをバス・トランザクションを用いてテストする障害隔離コントローラからなることを特徴とするコンピュータ・システム。
【請求項２】
請求項１記載のコンピュータ・システムにおいて、所定のデバイスは、コンフィギュレーション空間を備え、バス・トランザクションにより、該コンフィギュレーション空間からの読み出し及びコンフィギュレーション空間への書き込みの少なくとも一方が実行されることを特徴とするコンピュータ・システム。
【請求項３】
請求項１記載のコンピュータ・システムにおいて、障害隔離コントローラは、バス監視装置がバス・トランザクションの結果として障害状態を検出すると、グループ中の全てのデバイスに障害が生じていると判定することを特徴とするコンピュータ・システム。
【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
故障許容システムにおいて第１サーバから第２サーバへ制御を切り換える方法であって、前記第１及び第２サーバはそれぞれ、拡張ボックスの拡張バス上の第１及び第２スロットに結合されている、切換方法において、
前記第１サーバの活動状態の指示を前記第２サーバに提供するステップと、
前記指示が前記第１サーバが非アクティブ状態であることを示している場合に、前記第１サーバを前記第１スロットから遮断することにより、前記第１サーバと前記拡張バスの間の通信をディスエーブルするステップと、
前記指示が前記第１サーバが非アクティブ状態であることを示している場合に、前記第２サーバを前記第２スロットに接続することにより、前記第２サーバと前記拡張バスの間の通信をイネーブルするステップと
を備えることを特徴とする方法。
【請求項２】
請求項１記載の方法において、該方法はさらに、
前記指示が前記第１サーバがアクティブ状態であることを示している場合に、前記第２サーバを前記第２スロットから遮断することにより、前記第２サーバと前記拡張バスの間の通信をディスエーブルにするステップ
を備えていることを特徴とする方法。
【請求項３】
請求項２記載の方法において、前記第１サーバは、前記第１スロットに挿入された第１拡張カードを介して前記拡張バスと通信し、前記第２サーバは、前記第２スロットに挿入された第２拡張カードを介して前記拡張バスと通信し、かつ、前記第１サーバをディスエーブルするステップは、前記第１拡張カードの出力ピンを３状態化することを含み、前記第２サーバをディスエーブルするステップは、前記第２拡張カードの出力ピンを３状態化することを含むことを特徴とする方法。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
ダイナミック・メモリ・セルを有するメモリ・アレイと、
それぞれがアドレス信号とデータ信号との両方を伝達するようになっている、パッケージに設けた第１の複数の電気接点と、
該第１の複数の電気接点に結合されてそこから前記アドレス信号を受信し、前記メモリ・アレイに結合されてそれに対して前記アドレス信号を送信するアドレス・ラッチと、
前記電気接点に結合されてそこから前記データ信号を受信し、前記メモリ・アレイに結合されてそれに対して前記データ信号を送信する書き込みラッチと、
前記第１の複数の電気接点から独立しており、少なくとも１つのアドレス同期信号を伝達するようになっている、前記パッケージに設けた少なくとも１つの追加電気接点と、
該追加電気接点に結合されて前記アドレス同期信号を受信し、前記書き込みラッチに結合されて前記アドレス同期信号に応答して前記書き込みラッチを制御する制御論理回路と
を含んでなる、パッケージ内に置かれたダイナミック・ランダム・アクセス・メモリ。
【請求項２】
前記メモリ・アレイに結合されてそこから前記データ信号を受信し、前記電気接点に結合されてそれに対して前記データ信号を送信する読み取りバッファをさらに含む請求項１に記載のダイナミック・ランダム・アクセス・メモリ。
【請求項３】
前記制御論理回路に接続され、前記読み取りバッファ及び前記書き込みラッチに結合されて、前記アドレス同期信号に応答してその間における前記データ信号の多重化を行うスイッチをさらに含む請求項２に記載のダイナミック・ランダム・アクセス・メモリ。
【請求項４】
ダイナミック・メモリ・セルを有するメモリ・アレイと、
それぞれがアドレス信号とデータ信号との両方を伝達するようになっている、パッケージに設けた第１の複数の電気接点と、
該第１の複数の電気接点に結合されてそこから前記アドレス信号を受信し、前記メモリ・アレイに結合されてそれに対して前記アドレス信号を送信するアドレス・ラッチと、
前記電気接点に結合されてそこから前記データ信号を受信し、前記メモリ・アレイに結合されてそれに対して前記データ信号を送信する書き込みバッファと、
前記第１の複数の電気接点から独立し、少なくとも１つのアドレス同期信号を伝達するようになっている、パッケージに設けた少なくとも１つの追加電気接点と、
該追加電気接点に結合されて前記アドレス同期信号を受信し、前記書き込みバッファに結合されて前記アドレス同期信号に応答して前記書き込みバッファを制御する制御論理回路と
を含んでなる、パッケージ内に置かれたダイナミック・ランダム・アクセス・メモリ。
【請求項５】
前記メモリ・アレイに結合されてそこから前記データ信号を受信し、前記電気接点に結合されてそれに対して前記データ信号を送信する読み取りバッファをさらに含む請求項４に記載のダイナミック・ランダム・アクセス・メモリ。
【請求項６】
前記制御論理回路に結合され、前記読み取りバッファ及び前記書き込みバッファに結合されて、前記アドレス同期信号に応答してその間における前記データ信号の多重化を行うスイッチをさらに含む請求項５に記載のダイナミック・ランダム・アクセス・メモリ。
【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
コンピュータ・システムにおいて、
バス・サイクルを提供するプロセッサと、
前記プロセッサに結合され、前記バス・サイクルを搬送するメザニン・バスと、
第１の入出力バスと、
前記メザニン・バスと前記第１の入出力バスとの間に結合された第１のブリッジであって、前記第１の入出力バスに指定されたバス・サイクルをポジティブにデコードしかつ要求し、そして選択的にバス・サイクルを減算的にデコードしかつ要求する機能を含む第１のアドレス・デコーダを備えた第１のブリッジと、
第２の入出力バスと、
前記メザニン・バスと前記第２の入出力バスとの間に結合された第２のブリッジであって、前記第２の入出力バスに指定されたバス・サイクルをポジティブにデコードしかつ要求し、そして選択的にバス・サイクルを減算的にデコードしかつ要求する機能を含む第２のアドレス・デコーダを備えた第２のブリッジと
からなり、
前記第１のブリッジの減算的デコード動作がイネーブルされ、かつ前記第２のブリッジの減算的デコード動作がディゼーブルされた場合に、前記第１のブリッジが減算的にバス・サイクルをデコードしかつ要求し、
前記第２のブリッジの減算的デコード動作がイネーブルされ、かつ前記第１のブリッジの減算的デコード動作がディゼーブルされた場合に、前記第１のブリッジがポジティブにデコードされないバス・サイクルを要求せずに、前記第２のブリッジがポジティブにデコードされないバス・サイクルを減算的にデコードしかつ要求する
ことを特徴とするコンピュータ・システム。
【請求項２】
コンピュータ・システムにおいて、
ユーザからの入力を受け取る入力装置と、
バス・サイクルを前記入力装置に供給するプロセッサと、
前記プロセッサに結合され、前記バス・サイクルを搬送するメザニン・バスと、
第１の入出力バスと、
前記メザニン・バスと前記第１の入出力バスとの間に結合された第１のブリッジであって、前記第１の入出力バスに指定されたバス・サイクルをポジティブにデコードしかつ要求し、そして選択的にバス・サイクルを減算的にデコードする機能を含む第１のアドレス・デコーダを備えた第１のブリッジと、
第２の入出力バスと、
前記メザニン・バスと前記第２の入出力バスとの間に結合された第２のブリッジであって、前記第２の入出力バスに指定されたバス・サイクルをポジティブにデコードしかつ要求し、そして選択的にバス・サイクルを減算的にデコードする機能を含む第２のアドレス・デコーダを備えた第２のブリッジと
からなり、
前記入力装置は、前記第１及び第２のバスに取付可能であり、
前記第１のブリッジの減算的デコード動作がイネーブルされ、かつ前記第２のブリッジの減算的デコード動作がディゼーブルされた場合に、前記第１のブリッジが減算的にバス・サイクルをデコードしかつ要求し、
前記第２のブリッジの減算的デコード動作がイネーブルされ、前記第１のブリッジの減算的デコード動作がディゼーブルされた場合に、前記第１のブリッジはポジティブにデコードされないバス・サイクルを要求せず、前記第２のブリッジはポジティブにデコードされないバス・サイクルを減算的にデコードしかつ要求する
ことを特徴とするコンピュータ・システム。
【請求項３】
コンピュータ・システムにおいて、
移動可能部分であって、
バス・サイクルを供給するプロセッサと、
前記プロセッサに結合されたメザニン・バスと、
第１の入出力バスと、
前記メザニン・バスと前記第１の入出力バスとの間に結合された第１のブリッジであって、前記第１の入出力バスに指定されたバス・サイクルをポジティブにデコードしかつ要求し、そして選択的にバス・サイクルを減算的にデコードする機能を含む第１のアドレス・デコーダを備えた第１のブリッジと
からなる移動可能部分と、
前記移動可能部分に接続可能な拡張ベース部分であって、
前記移動可能部分が前記拡張ベース部分に接続されたときに、前記メザニン・バスに接続されるメザニン拡張バスと、
第２の入出力バスと、
前記メザニン・バスと前記第２の入出力バスとの間に結合された第２のブリッジであって、前記第２の入出力バスに指定されたバス・サイクルをポジティブにデコードしかつ要求し、そして選択的にバス・サイクルを減算的にデコードする機能を含む第２のアドレス・デコーダを備えた第２のブリッジと
からなる拡張ベース部分と
からなり、
前記第１のブリッジがポジティブにデコードされたバス・サイクルを要求ぜず、前記第２のブリッジがバス・サイクルを減算的にデコードしかつ要求し、
前記移動可能部分が前記拡張ベースに接続されない場合に、前記第１のブリッジはバス・サイクルを減算的にデコードしかつ要求すること
を特徴とするコンピュータ・システム。
【請求項４】
コンピュータ・システムにおいてアドレスをデコードするデコード方法であって、前記コンピュータ・システムは、バス・サイクルを提供するプロセッサと、前記プロセッサに結合され、前記バス・サイクルを搬送するメザニン・バスと、第１の入出力バスと、前記メザニン・バスと前記第１の入出力バスとの間に結合された第１のブリッジであって、前記第１の入出力バスに指定されたバス・サイクルをポジティブにデコードしかつ要求し、かつ選択的にバス・サイクルを減算的にデコードする機能を含む第１のアドレス・デコーダを有する第１のブリッジと、第２の入出力バスと、前記メザニン・バスと前記第２の入出力バスとの間に結合された第２のブリッジであって、前記第２の入出力バスに指定されたバス・サイクルをポジティブにデコードしかつ要求し、選択的にバス・サイクルを減算的にデコードする機能を含む第２のアドレス・デコーダを有する第２のブリッジとからなり、前記デコード方法は、
前記第１のブリッジを、ポジティブのデコーディングのみを行うように構成するステップと、
前記第２のブリッジを、ポジティブのデコーディング及び減算的デコーディングを行うように構成するステップと、
前記プロセッサがバス・サイクルを装置に供給するステップと、
前記装置が前記第１のバスに結合されている場合にのみ、前記第１のブリッジが前記バス・サイクルをデコードしかつ要求するステップと、
前記装置が前記第２のブリッジに結合されている場合、または前記第１のブリッジが前記バス・サイクルを要求しない場合に、前記第２のブリッジが前記バス・サイクルをデコードしかつ要求するステップと
からなることを特徴とする方法。
【手続補正書】
【提出日】平成16年5月18日(2004.5.18)
【手続補正１】
【補正対象書類名】明細書
【補正対象項目名】請求項１
【補正方法】変更
【補正の内容】
【請求項１】
書き換え回数制限型メモリとランダム・アクセス・メモリとを有するシステムのメモリ管理装置であって、上記書き換え回数制限型メモリあるいはランダム・アクセス・メモリの未使用領域が所定の大きさより小さい場合に、この未使用領域が小さいメモリに対してガーベジコレクション処理を行うガーベジコレクション実行部と、上記各メモリに対するデータの割り付け単位を表す情報であるオブジェクトに対して、上記各メモリに対する新規オブジェクトの割り付け時、あるいは、上記ガーベジコレクション処理実行時に、上記ガーベジコレクション処理によって回収されず且つ当該ガーベジコレクション処理時まで書き込みが行われなかった場合に増加する安定度を設定する安定度設定部と、上記各メモリに対する新規オブジェクトの割り付け時、あるいは、上記ガーベジコレクション処理実行時に、上記安定度設定部によって設定された安定度が所定値以下のオブジェクトを上記ランダム・アクセス・メモリに割り付ける一方、上記安定度が上記所定値より高いオブジェクトを上記書き換え回数制限型メモリに割り付けるオブジェクト割付部を備えたことを特徴とするメモリ管理装置。
【手続補正２】
【補正対象書類名】明細書
【補正対象項目名】請求項５
【補正方法】変更
【補正の内容】
【請求項５】
請求項１に記載のメモリ管理装置であって、
上記書き換え回数制限型メモリおよび／または上記ランダム・アクセス・メモリの論理アドレスを物理アドレスに変換するアドレス変換部を備え、
そのアドレス変換部は、上記書き換え回数制限型メモリ上におけるアドレス変換の単位領域としてのべージであって書き込み禁止であるべージに対して書き込みが要求されて発生するアクセス例外を検知するアクセス例外検知手段を備えて、上記アクセス例外検知手段によって上記アクセス例外が検知された場合には、書き込みが要求された論理アドレス空間上の論理ページが写像された上記書き換え回数制限型メモリの物理アドレス空間上の物理ページの内容を、上記ランダム・アクセス・メモリの物理アドレス空間上の未使用の物理べージにコピーし、このコピーされた上記ランダム・アクセス・メモリの物理べージを上記書き込みが要求された論理ページに対応付けるようになっていることを特徴とするメモリ管理装置。
【手続補正３】
【補正対象書類名】明細書
【補正対象項目名】００１０
【補正方法】変更
【補正の内容】
【００１０】
【課題を解決するための手段】
上記目的を達成するため、請求項１に係る発明は、書き換え回数制限型メモリとＲＡＭとを有するシステムのメモリ管理装置であって、上記書き換え回数制限型メモリあるいはＲＡＭの未使用領域が所定の大きさより小さい場合に、この未使用領域が小さいメモリに対してガーベジコレクション処理を行うガーベジコレクション実行部と、上記各メモリに対するデータの割り付け単位を表す情報であるオブジェクトに対して、上記各メモリに対する新規オブジェクトの割り付け時、あるいは、上記ガーベジコレクション処理実行時に、上記ガーベジコレクション処理によって回収されず且つ当該ガーベジコレクション処理時まで書き込みが行われなかった場合に増加する安定度を設定する安定度設定部と、上記各メモリに対する新規オブジェクトの割り付け時、あるいは、上記ガーベジコレクション処理実行時に、上記安定度設定部によって設定された安定度が所定値以下のオブジェクトを上記ＲＡＭに割り付ける一方、上記安定度が上記所定値より高いオブジェクトを上記書き換え回数制限型メモリに割り付けるオブジェクト割付部を備えたことを特徴としている。
【手続補正４】
【補正対象書類名】明細書
【補正対象項目名】００１９
【補正方法】変更
【補正の内容】
【００１９】
また、請求項５に係る発明は、請求項１に係る発明のメモリ管理装置あって、上記書き換え回数制限型メモリおよび／または上記ランダム・アクセス・メモリの論理アドレスを物理アドレスに変換するアドレス変換部を備え、そのアドレス変換部は、上記書き換え回数制限型メモリ上におけるアドレス変換の単位領域としてのぺージであって書き込み禁止であるページに対して書き込みが要求されて発生するアクセス例外を検知するアクセス例外検知手段を備えて、上記アクセス例外検知手段によってアクセス例外が検知された場合には、書き込みが要求された論理アドレス空間上の論理ページが写像された上記書き換え回数制限型メモリの物理アドレス空間上の物理ページの内容を上記ＲＡＭの物理アドレス空間上の未使用の物理ページにコピーし、このコピーされた上記ＲＡＭの物理ページを上記書き込みが要求された論理ページに対応付けるようになっていることを特徴としている。
【手続補正書】
【提出日】平成16年8月19日(2004.8.19)
【手続補正１】
【補正対象書類名】明細書
【補正対象項目名】特許請求の範囲
【補正方法】変更
【補正の内容】
【特許請求の範囲】
【請求項１】
第１及び第２の要素を相対的に位置決めするために、所定の方向にそって前記第１及び第２の要素を相対的に可変に位置決めする持ち上げ手段と、該持ち上げ手段を作動させるアクチュエーター手段とを有する装置において、
前記持ち上げ手段は、前記アクチュエーター手段（１５，１６，１７；２４，２５）によって作動されるカム要素（１０，２２）を有し、
該カム要素は複数の連続的に配置されたセクター（Ａ−Ｅ）を有し、
該セクターは前記第１又は第２の要素を移動させるための機械加工したエッジ（１２，１３；２８，２９）を有し、
前記セクターが第１及び第２のインターリーブ・グループに属し、前記アクチュエーター手段に対する前記持ち上げ手段の応答が、前記第１及び第２のグループにおいて異なる値を有し、それによって、前記カム要素が所定の方向に作動したとき、あらい位置決め及び細かい位置決めを交互に行なうように、及び前記グループの一方によって達成される連続的位置決めがオーバーラップのない位置決め範囲を提供するように前記機械加工したエッジが成形されていることを特徴とする装置。
【請求項２】
前記第１の要素が磁気テープ（２）であり、前記第２の要素が、書込み及び／又は読取りヘッド（１）であり、そして前記持ち上げ手段が、前記ヘッドを前記テープに対し横の方向に移動せしめる請求項１に記載の装置。
【請求項３】
前記第１の要素が、磁気テープ（２）であり、その位置決めがテープガイド（２００）によって制御され、そして前記第２の要素が、書込み及び／又は読取りヘッドであり、前記持ち上げ手段が、前記テープガイドを前記テープに対し横の方向に移動せしめる請求項１に記載の装置。
【請求項４】
前記機械加工したエッジが、前記持ち上げ手段と協働するカム面として実現されており、前記カム面が、持ち上げ手段に含まれる片方の接触要素に接触していることを特徴とする請求項１−３のいずれか１つの項に記載の装置。
【請求項５】
前記カム要素（１０）が、前記アクチュエーター手段（１５，１６，１７）によって作動されたとき、並進運動を行なうことを特徴とする請求項１−４のいずれか１つの項に記載の装置。
【請求項６】
前記カム要素（２２）が、前記アクチュエーター手段（２５，２４）によって作動されたとき、回転運動を行うことを特徴とする請求項１−４のいずれか１つの項に記載の装置。
【請求項７】
前記アクチュエーター手段に対する前記持ち上げ手段の前記応答が、前記第１及び前記第２のグループにおいてリニアであることを特徴とする請求項１−６のいずれか１つの項に記載の装置。
【請求項８】
前記アクチュエーター手段が、前記カム要素を作動させるためのステッパー・モーターを含むことを特徴とする請求項１−７のいずれか１つの項に記載の装置。
【請求項９】
カムの運動に追従する複数の基準マーク（１８，３０）を有している位置指示器と、前記基準マークを検出し、そして前記カムの瞬間位置を表わす信号を供給する検出器（３１）とを含むことを特徴とする請求項１−８のいずれか１つの項に記載の装置。
【請求項１０】
前記検出器（３１）が、光電子センサである請求項９に記載の装置。
【請求項１１】
前記アクチュエーター手段（１５，１６，１７；２４，２５）が、前記アクチュエーター手段の運動に追従するモニタマーク（１６，３２）と、前記モニタマークをモニタし、そして前記カムの位置を表わすモニタ信号を供給するモニタ手段（２０，３３）とを含むことを特徴とする請求項１−１０のいずれか１つの項に記載の装置。
【請求項１２】
前記モニタ手段が光電子センサを含む請求項１１に記載の装置。
【請求項１３】
バンドルされた複数の基本トラックを有する磁気テープ（２）の上に書込み及び／又は読出す多重トラック磁気テープ・レコーダーにおいて、
書込みヘッドが、実質的に平らな面上に２次元マトリクスに配置された複数の活性部（４）を含み、各活性部は、ひとつの基本トラックに書込むために使用される磁気ヘッド（３５）であり、
該基本トラックの読出しは光学システム（３６）を用いて行なわれ、
該光学システムはヘッド光学ユニット（３４）の中で前記書込みヘッドと組合され、偏光源と磁気光学トランスジューサ（３７）とリニア光学センサ（３９）とを有し、
前記多重トラック磁気テープと前記ヘッド光学ユニットを互いに相対的に横に位置決めするための請求項１−１２のひとつに記載の装置を有する、多重トラック磁気テープ・レコーダー。
【手続補正書】
【提出日】平成16年8月11日(2004.8.11)
【手続補正１】
【補正対象書類名】明細書
【補正対象項目名】特許請求の範囲
【補正方法】変更
【補正の内容】
【特許請求の範囲】
【請求項１】
積層メモリ・セルを有する磁気ランダム・アクセス・メモリ（１０）であって：
半導体基板（１１）；および
前記半導体基板上に、一方が他方の上に位置する関係で積層された複数のメモリ・セルであって、メモリ・セルの各々が、状態を格納する磁性体部分（１２）を有し，メモリ・セルの各々が、前記磁性体部分に隣接するワードライン（１３）であって、前記磁性体部分に磁場を印加するワード電流を供給するワード・ライン（１３）を有し，およびメモリ・セルの各々が、前記磁性体物質内に格納されている状態を検出するセンス電流を供給するセンス・ライン（１４）を有する、複数のメモリ・セル；
から成ることを特徴とする磁気ランダム・アクセス・メモリ（１０）。
【請求項２】
積層メモリ・セルを有する磁気ランダム・アクセス・メモリ（５０）であって：
半導体基板（１１）；および
前記半導体基板上に、一方が他方の上に位置する関係で積層された複数のメモリ・セルであって、メモリ・セルの各々が、状態を格納する磁性体部分（５１）を有し，メモリ・セルの各々が、前記磁性体部分に隣接するワードライン（５５）であって、前記磁性体部分に磁場を印加するワード電流を供給するワード・ライン（５５）を有し，メモリ・セルの各々が、前記磁性体部分に隣接するセンス・ライン（５９）であって、前記部分に格納されている状態を検出するセンス電流を供給するセンス・ライン（５９）を有し，およびメモリ・セルの各々が、前記ワード・ラインに隣接する磁束集中器（６１）であって、前記ワード電流によって発生される磁束を集中させる磁束集中器（６１）を有する、複数のメモリ・セル；
から成ることを特徴とする磁気ランダム・アクセス・メモリ（５０）。
【請求項３】
積層メモリ・セルを有する磁気ランダム・アクセス・メモリの製造方法であって：
半導体基板（１１）を用意する段階；
状態を格納する第１磁性体部分（１２），前記第１磁性体部分に隣接し、第１ワード電流を供給するワード・ライン（１３），および前記第１磁性体物質内に格納されている状態を検出するセンス電流を供給するセンス・ライン（１４）を有する第１メモリ・セルを、前記半導体基板上に形成する段階；
状態を格納する第２磁性体部分（１７），前記第２磁性体部分に隣接し、第２ワード電流を供給する第２ワード・ライン（１８），および前記第２磁性体部分に格納されている状態を検出する前記センス電流を供給する第２センス・ライン（２２）を有する第２メモリ・セルを、前記第１メモリ・セル上に形成する段階；および
前記第１および第２センス・ライン間を電気的に結合する導線（２３）を形成する段階；
から成ることを特徴とする方法。
【請求項４】
積層メモリ・セルを有する磁気ランダム・アクセス・メモリ（５０）の製造方法であって：
半導体基板（１１）を用意する段階；
状態を格納する第１磁性体部分（５１），前記第１磁性体部分に隣接し、前記第１磁性体部分に第１磁場を印加する第１ワード電流を供給する第１ワード・ライン（５５），前記第１磁性体部分に格納されている状態を検出するセンス電流を供給する第１センス・ライン（５９），および前記第１ワード・ラインに隣接し、前記第１ワード電流によって発生される磁束を集中させる第１磁束集中器（６１）を含む第１メモリ・セルを前記半導体基板上に形成する段階；
状態を格納する第２磁性体部分（５３），前記第２磁性体部分に隣接し、前記第２磁性体部分に第２磁場を印加する第２ワード電流を供給する第２ワード・ライン（５７），前記第２磁性体部分に格納されている状態を検出する前記センス電流を供給する第２のセンス・ライン（６０），および前記第２ワード・ラインに隣接し、前記第２ワード電流によって発生される磁束を集中させる第２磁束集中器（６３）を含む第２メモリ・セルを前記半導体基板上に形成する段階；および
前記第１および第２センス・ライン間を電気的に結合する導線（６５）を形成する段階；
から成ることを特徴とする方法。
【手続補正２】
【補正対象書類名】明細書
【補正対象項目名】０００２
【補正方法】変更
【補正の内容】
【０００２】
【従来の技術】
これまで多くのタイプの不揮発性メモリ素子が研究され開発されてきた。磁気ランダム・アクセス・メモリ（ＭＲＡＭ）は、放射線に対する堅牢性(hardness)を特徴とする、不揮発性メモリ素子の１つとして開発された。ＭＲＡＭ内のメモリ・セルは、基本的に、ワード・ライン，センス・ライン，および典型的に巨大磁気抵抗（ＧＭＲ）物質である、磁気抵抗物質の部分を有し、これらの全ては半導体基板上に形成される。ワード・ラインは、センス・ラインに対して垂直に製造され、ＧＭＲ物質部分は、ワード・ラインおよびセンス・ラインの交差点に配置される。ＧＭＲ物質部分は、状態「０」および「１」として情報を格納する。これらの状態は、ＧＭＲ物質内における磁気ベクトルの方向に対応する。メモリ・セル内において状態の格納および変更を行うには、ＧＭＲ物質部分に、所定のスレシホルド・レベルより高い磁場を印加する。ワード電流によって発生される磁場が、センス電流によって発生される磁場と結合し、この全磁場がＧＭＲ物質部分に印加され、状態の読み出しおよび格納が行われる。ＧＭＲ物質の抵抗は、磁気ベクトルの方向に応じて交互に変化するので、メモリ・セルに格納されている状態を読み出すには、センス・ラインの出力端子における電圧差を検出する。
【手続補正３】
【補正対象書類名】明細書
【補正対象項目名】００１３
【補正方法】変更
【補正の内容】
【００１３】
第５誘電体層３１上に更にメモリ・セルを形成し積層する場合、上述のプロセスを繰り返して、ＧＭＲ物質部分，ワード・ライン，センス・ライン，導線，および誘電体層を形成する。
【手続補正書】
【提出日】平成16年4月27日(2004.4.27)
【手続補正１】
【補正対象書類名】明細書
【補正対象項目名】０００３
【補正方法】変更
【補正の内容】
【０００３】
公知の超伝導回転子の設計には、１０゜Ｋ（ケルビン）の温度の気体ヘリウムを入れた内部チャンネルを持つ突き出した熱ステーションと接触状態に配置された競走路形状の超伝導コイルを含むものがある。その超伝導コイルは、２０゜Ｋの温度の気体ヘリウムを入れた冷却材管と接触することによって冷却される熱遮蔽体によって囲まれている。熱遮蔽体は真空容器によって囲まれ且つ真空容器から離間している。超伝導装置で必要とされることは、その超伝導コイルに対する冷却装置を改善することである。
【特許文献１】特開平８−１６８２３５号
【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  光源からの出射光を試料に対して集束させる対物レンズの集光位置と該試料の位置との相対的な位置関係を連続変化させながら該出射光を該試料に対して集束させているときに検出される光の強度であって該対物レンズの集光位置に対し共役な位置に配置されているピンホールを通過した該光の強度に基づいて、該光の強度が最大となるときの該位置関係の推定を行い、
検出される前記光の強度を生じさせた前記位置関係に基づいて、前記位置関係の連続変化が前記推定に及ぼした影響の補正を行い、
前記補正がなされた後の前記推定の結果を前記試料の高さを示す情報として取得する、
ことを特徴とする高さ測定方法。
【請求項２】  前記推定では、前記対物レンズと前記試料との相対位置の変化と、前記光の強度の変化との関係を示す式に基づいて該推定を行うことを特徴とする請求項１に記載の高さ測定方法。
【請求項３】  前記推定では、前記式において前記光の強度が最大となるときの前記相対位置を求めることによって該推定を行うことを特徴とする請求項２に記載の高さ測定方法。
【請求項４】  前記推定では、二次関数に近似された前記式に基づいて該推定を行うことを特徴とする請求項２に記載の高さ測定方法。
【請求項５】  前記補正では、前記位置関係の連続変化と前記試料の各部分について前記光の強度の検出が行われた検出位置の違いとによって生じる該位置関係の変化分を前記推定の結果から除外することによって該補正を行なうことを特徴とする請求項１に記載の高さ測定方法。
【請求項６】  前記補正では、前記検出位置の違いに基づいた比例配分により前記位置関係の変化分の算出を行うことを特徴とする請求項５に記載の高さ測定方法。
【請求項７】  光源からの出射光を試料に対して集束させる対物レンズの集光位置と該試料の位置との相対的な位置関係を連続変化させながら該出射光を該試料に対して集束させているときに検出される光の強度であって該対物レンズの集光位置に対し共役な位置に配置されているピンホールを通過した該光の強度に基づいて、該光の強度が最大となるときの該位置関係の推定を行う推定手段と、
検出される前記光の強度を生じさせた前記位置関係に基づいて、前記位置関係の連続変化が前記推定に及ぼした影響の補正を行う補正手段と、
を有することを特徴とする共焦点走査型光学顕微鏡。
【請求項８】  光源からの出射光を試料に対して集束させる対物レンズの集光位置と該試料の位置との相対的な位置関係を連続変化させながら該出射光を該試料に対して集束させているときに検出される光の強度を示している情報であって該対物レンズの集光位置に対し共役な位置に配置されているピンホールを通過した該光の強度を示している該情報に基づいて、該光の強度が最大となるときの該位置関係の推定を行い、該推定の結果を示す情報を得る処理と、
検出される前記光の強度を生じさせた前記位置関係を示している情報に基づいて、前記位置関係の連続変化が前記推定に及ぼした影響の補正を該推定の結果を示す情報に対して行い、該補正がなされた後の該推定の結果を示す情報を得る処理と、
をコンピュータに行わせるためのプログラム。
【手続補正２】
【補正対象書類名】明細書
【補正対象項目名】００５３
【補正方法】削除
【補正の内容】
【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
被測定物に光を照射する発光素子と、前記被測定物からの反射光の光路に配置する光学素子と、該光学素子の出射光の位置、角度変化を検出する受光手段とを備え、前記光学素子の少なくとも一方の面に、球面、放物面等の多次関数曲面を形成し、前記受光手段が第１の受光素子と第２の受光素子との２つの受光素子を有し、前記第１の受光素子が前記光学素子の境界面における反射光の位置、角度変化を検出し、前記第２の受光素子が前記光学素子の境界面における透過光の位置、角度変化を検出し、前記光学素子の臨界角付近の反射、透過特性を利用して前記被測定物からの反射光の位置、角度変化を拡大することによって検出感度を向上させるように構成されていることを特徴とする光学的変位検出器。
【請求項２】
前記光学素子の多次関数曲面における前記被測定物の上限位置からの反射光の入射角が臨界角より小さい角度に設定され、前記光学素子の多次関数曲面における前記被測定物の下限位置からの反射光の入射角がブリュースター角より大きい角度に設定されていることを特徴とする請求項１に記載の光学的変位検出器。
【請求項３】
前記２つの受光素子の出力を差動的に処理する処理回路を有することを特徴とする請求項１に記載の光学的変位検出器。
【請求項４】
前記２つの受光素子の出力の和が一定となるように前記発光素子の出力が制御されていこることを特徴とする請求項１に記載の光学的変位検出器。
【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
基板上に、
下側導電層、該下側導電層上に形成された絶縁層、該絶縁層上に形成された上側導電層からなる積層体と、
前記下側導電層と電気的に接続されるべき導電層と、
前記下側導電層及び前記導電層それぞれの下層に配置された中継層とが、
積層構造の一部をなして備えられており、
前記下側導電層及び前記導電層は前記中継層を介して電気的に接続されていることを特徴とする配線構造。
【請求項２】
前記積層体は、段差ある表面上に形成されていることを特徴とする請求項１に記載の配線構造。
【請求項３】
前記上側導電層は、相異なる材料を含む複数の層からなることを特徴とする請求項１又は２に記載の配線構造。
【請求項４】
前記上側導電層は、上層にタングステンシリサイドからなる層、下層にポリシリコンからなる層を含むことを特徴とする請求項３に記載の配線構造。
【請求項５】
前記積層体は、コンデンサを構成していることを特徴とする請求項１乃至４のいずれか一項に記載の配線構造。
【請求項６】
前記絶縁層は、高誘電率材料からなる層を含むことを特徴とする請求項５に記載の配線構造。
【請求項７】
前記絶縁層は、相異なる材料を含む複数の層からなるとともに、そのうちの一の層は他の層に比べて高誘電率材料からなる層を含むことを特徴とする請求項６に記載の配線構造。
【請求項８】
前記下側導電層と前記中継層との間及び前記導電層と前記中継層との間に形成された第１の層間絶縁膜と、
前記導電層及び前記中継層間に形成された第２の層間絶縁膜と、
前記下側導電層及び前記中継層を電気的に接続する第１コンタクトホールと、
前記導電層及び前記中継層を電気的に接続する第２コンタクトホールとを更に備えたことを特徴とする請求項１乃至７のいずれか一項に記載の配線構造。
【請求項９】
基板上に、
中継層を形成する工程と、
前記中継層の上に第１の層間絶縁膜を形成する工程と、
前記第１の層間絶縁膜に前記中継層に通ずる第１コンタクトホールを形成する工程と、
前記第１の層間絶縁膜の上且つ前記第１コンタクトホールを埋めるように下側導電層を形成する工程と、
前記下側導電層の上に前記絶縁層及び前記上側導電層を順に形成する工程と、
前記上側導電層の上に第２の層間絶縁膜を形成する工程と、
前記第２の層間絶縁膜及び前記第１の層間絶縁膜に前記中継層に通ずる第２コンタクトホールを形成する工程と、
前記第２の層間絶縁膜の上且つ前記第２コンタクトホールを埋めるように導電層を形成する工程と
を含むことを特徴とする配線構造の製造方法。
【請求項１０】
前記下側導電層、前記絶縁層及び前記上側導電層は、段差ある表面上に形成されることを特徴とする請求項９に記載の配線構造の製造方法。
【請求項１１】
基板上に、第１方向に延在するデータ線及び該データ線に交差する第２方向に延在する走査線、並びに、前記データ線及び前記走査線の交差領域に対応するように配置された画素電極及び薄膜トランジスタが積層構造の一部をなして備えられた電気光学装置であって、
前記基板上には更に、
前記薄膜トランジスタ及び前記画素電極に電気的に接続された蓄積容量と、
前記画素電極及び前記蓄積容量それぞれの下層に配置された中継電極とが、  前記積層構造の一部をなして備えられてなり、
前記蓄積容量を構成する一対の電極のうちの一方の電極と前記画素電極とは、前記中継電極を介して電気的に接続されていることを特徴とする電気光学装置。
【請求項１２】
前記蓄積容量は、段差ある表面上に形成されていることを特徴とする請求項１１に記載の電気光学装置。
【請求項１３】
前記一方の電極が前記画素電極及び前記薄膜トランジスタに電気的に接続された画素電位側容量電極を含み、
前記蓄積容量は、該画素電位側容量電極と、該画素電位側容量電極に対向配置され固定電位とされた固定電位側容量電極と、前記画素電位側容量電極及び前記固定電位側容量電極間に挟持された誘電体膜とからなり、
前記誘電体膜は、高誘電率材料からなる層を含む積層体を構成していることを特徴とする請求項１１又は１２に記載の電気光学装置。
【請求項１４】
前記中継電極は、前記走査線に含まれる前記薄膜トランジスタのゲート電極と同一膜として形成されていることを特徴とする請求項１１乃至１３のいずれか一項に記載の電気光学装置。
【請求項１５】
前記固定電位側容量電極は、前記画素電位側容量電極を覆うように形成されていることを特徴とする請求項１１乃至１４のいずれか一項に記載の電気光学装置。
【請求項１６】
請求項１１乃至１４のいずれか一項に記載の電気光学装置を用いたことを特徴とする電子機器。
【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】
複数の位置情報提供サービスサーバにおける測位精度を含む予想測位特性値を取得し、ユーザの携帯端末から送信された情報から抽出した少なくとも測位精度を含む測位条件と上記予想測位特性値とに基づいて位置情報提供サービスサーバを選択する位置情報提供サービスサーバ選択手段を有し、上記選択された位置情報提供サービスサーバから提供された上記ユーザの現在位置を含む送信データを上記ユーザの携帯端末に送信することを特徴とする空間情報提供システム。
【請求項２】
請求項１記載の空間情報提供システムにおいて、更に、上記選択された位置情報提供サービスサーバから提供された少なくとも測位精度を含む測位特性値に基づいて地図情報提供サービスサーバを選択する地図情報提供サービスサーバ選択手段と、上記ユーザの現在位置と上記選択された地図情報提供サービスサーバから提供された地図データとを統合化して上記送信データを生成するメディエータ手段とを有することを特徴とする空間情報提供システム。
【請求項３】
請求項２記載の空間情報提供システムにおいて、更に、上記測位特性値と上記地図データの特性値の関係を表す情報提供サービス組み合わせ判定辞書部を有し、上記地図情報提供サービスサーバ選択手段は、上記情報提供サービス組み合わせ判定辞書部を参照して上記位置情報提供サービスサーバと上記地図情報提供サービスサーバの組み合わせを選択する組み合わせ判定手段を有することを特徴とする空間情報提供システム。
【請求項４】
請求項２又は３に記載の空間情報提供システムにおいて、上記メディエータ手段は、上記選択された地図情報提供サービスサーバから提供された複数の上記地図データの縮尺率に基づいて基準となる縮尺率を選択するための縮尺率選択手段と、該選択された上記基準となる縮尺率に従って上記複数の地図データを縮尺又は拡大する縮尺率変更手段と、該縮尺又は拡大された上記複数の地図データを合成して上記送信データを生成する送信データ生成手段と、を更に有することを特徴とする空間情報提供システム。
【請求項５】
請求項２乃至４の何れか１項に記載の空間情報提供システムにおいて、上記送信データは、上記複数の位置情報提供サービスサーバの利用可能領域が上記地図データより生成される地図上に表示されるデータであることを特徴とする空間情報提供システム。
【請求項６】
請求項２乃至５の何れか１項に記載の空間情報提供システムにおいて、更に、上記ユーザが指定した出発地と目的地とを結ぶ経路を検索し、該検索された経路が複数の上記地図データより生成された複数の地図表示領域を含む地図上に表示されるよう、該地図表示領域と上記経路を１つの上記送信データに統合する案内情報生成手段を有することを特徴とする空間情報提供システム。
【請求項７】
請求項１乃至６の何れか１項に記載の空間情報提供システムにおいて、更に、上記測位条件は応答時間、料金またはクーポンに関する情報の少なくとも何れかを含むことを特徴とする空間情報提供システム。
【手続補正書】
【提出日】平成17年3月3日(2005.3.3)
【手続補正１】
【補正対象書類名】明細書
【補正対象項目名】００４２
【補正方法】変更
【補正の内容】
【００４２】
焼結体（Ａ）の一つの長面を鏡面加工して表面粗さＲａを１０ｎｍ以下とした。したがって、このようにして得られた接合体はミラー本体として機能する。
【手続補正２】
【補正対象書類名】明細書
【補正対象項目名】００４８
【補正方法】変更
【補正の内容】
【００４８】
緻密質焼結体の一つの長面を鏡面加工して表面粗さＲａを１０ｎｍ以下とした。したがって、このようにして得られた接合体はミラー本体として機能する。